(57)【要約】【課題】スイングウェイト調整用の錘の脱落を確実に防止でき、錘の着脱や交換を容易に行えるとともに、シャフト側に重心を偏らせ、重心位置を安定させることが可能なゴルフクラブの提供を目的とした。【解決手段】ゴルフクラブ１０は、グリップ部１６と、ウェイト部１８とを有する。グリップ部１６側にはネジ軸２６が設けられており、ウェイト部１８には雌ネジ部２２が設けられている。ゴルフクラブ１０は、ネジ軸２６にバネ座金３０を装着した状態でネジ軸２６を雄ネジ部２２と螺合させることにより、バネ座金３０を介在させた状態でグリップ部１６とウェイト部１８とを一体化できる。【選択図】図１
2011104270.tif 000002
【特許請求の範囲】
【請求項１】
グリップ部と、
前記グリップ部の先端に着脱固定可能に取り付けられる、スイングウェイト調整用の錘を備えたウェイト部と、
を有し、
前記ウェイト部の重心が、前記グリップ部の略軸心上に位置すること、
を特徴とするウェイト付グリップ構造体。
【請求項２】
前記グリップ部又はウェイト部のうち一方側には、ネジ軸が設けられており、
前記グリップ部又はウェイト部のうち他方側には、雌ネジ部が設けられており、
前記ネジ軸には、バネ座金が装着されており、
前記ネジ軸を雄ネジ部と螺合させることにより、前記バネ座金を介在させた状態でグリップ部とウェイト部とを一体化することが可能であること、
を特徴とする請求項１に記載のウェイト付グリップ構造体。
【請求項３】
前記グリップ部及びウェイト部のいずれか一方又は双方の端面に、凸状連結部が設けられており、
前記グリップ部及びウェイト部のいずれか一方又は双方の端面に、前記凸状連結部を嵌合させることにより連結構造を形成可能な凹状連結部が設けられており、
前記凸状連結部及び凹状連結部の組み合わせからなる連結構造を複数箇所で形成することにより前記グリップ部とウェイト部とを一体化することが可能であること、
を特徴とする請求項１に記載のウェイト付グリップ構造体。
【請求項４】
前記グリップ部が、筒状のグリップ本体と、ウェイト接続部とを有するものであり、
前記ウェイト接続部が、前記グリップ部の端部に設けられており、差込口を備え、弾性変形可能なものであり、
前記ウェイト部が、前記差込口に差し込み可能な軸状の差込部を備え、前記差込部と前記錘とが着脱可能又は着脱不能に一体化されたものであり、
前記差込部が、外径が前記差込口の開口径以上の大きさまで漸次拡大した拡径部と、前記拡径部に対して錘側に位置し前記差込口と係合可能な係合部とを有し、前記拡径部と前記係合部との間に段差が形成されたものであり、
前記差込部を前記差込口に差し込み、前記係合部と前記差込口とを係合させることにより、前記グリップ部と前記ウェイト部とを一体化することが可能であること、
を特徴とする請求項１〜３のいずれかに記載のウェイト付グリップ構造体。
【請求項５】
前記グリップ本体が弾性変形可能なものであり、
前記ウェイト接続部が、前記グリップ本体よりも硬質であること、
を特徴とする請求項４に記載のウェイト付グリップ構造体。
【請求項６】
請求項１〜５のうちのいずれかに記載のウェイト付グリップ構造体を具備するゴルフクラブ。
【発明の詳細な説明】
【技術分野】
【０００１】
本発明は、ウェイトを取り付けたゴルフクラブ等のグリップ構造体に関するものであり、特にスイングウェイトの固定構造に特徴を有するものである。
【背景技術】
【０００２】
従来より、差し込みやビス止め等でスイングウェイト調整用の錘（おもり乃至はウェイト）をシャフトやグリップに対して固定したゴルフクラブが提供されており、具体的には、例えば、下記特許文献１〜特許文献３に開示されているようなスイングウェイトを備えたゴルフクラブが提供されている。
【０００３】
特許文献１に開示されているゴルフクラブでは、クラブヘッドとシャフトを取り付けるために設けられたホーゼルにスイングウェイト調整用の錘が接着により取り付けられている。ここで採用されている錘は、円柱状の本体とフランジ部を有する形状とされており、本体をシャフト内に挿入するとともに、フランジ部をシャフトの端部とホーゼルの底面との間に挟み込むことにより錘がシャフトの先端側（クラブヘッド側）の位置に固定されている。
【０００４】
また、特許文献２に開示されているゴルフクラブは、グリップの内部に設けられた区画に、ウェイト調整用の錘として機能する球状のウェイト材料を多数収容させることができる構成とされており、ウェイト材料の個数を調整することによりスイングウェイトを調整することができる。
【０００５】
更に、特許文献３に開示されているゴルフクラブは、ゴルフクラブのクラブヘッドのスイートスポット付近が欠落しており、クラブヘッドのスイートスポット付近が欠落しているゴルフクラブのグリップ側の先端から、グリップの軸線に対し、交差する方向に軸線を有するウェイトを装着した構成を有している。
【先行技術文献】
【特許文献】
【０００６】
【特許文献１】実用新案登録第３０１８１３０号公報
【特許文献２】特開平５−２２０２４２号公報
【特許文献３】特開２００９−１３６６４１号公報
【発明の概要】
【発明が解決しようとする課題】
【０００７】
上述した従来のゴルフクラブのように、スイングウェイト調整用の錘を差し込んだりビス止めしたりして固定した場合は、使用している間に錘に作用する振動や慣性力等の影響により、錘を固定しているビスが徐々にゆるむ等して固定強度が低下することがあった。また、スイングウェイト調整用の錘がしっかりと固定されていない状態でゴルフクラブの使用を継続すると、錘が脱落してしまい、錘を紛失したり、飛散した錘によってケガをしてしまったりするという問題があった（固定）。
【０００８】
また、上記特許文献１に記載のゴルフクラブのように、錘をホーゼルの内側に取り付けることとした場合、錘の交換や調整を容易に行えないという問題があった。打球をより高く打ち上げることを考慮した場合には、シャフト側に重心を偏らせることが望ましいところ、特許文献１に開示されている構成とした場合は、錘を取り付けることにより重心がクラブヘッド側に偏ってしまい、打球をより高く打ち上げることが難しくなってしまうという問題があった（着脱乃至は交換）。
【０００９】
更に、特許文献２に開示されているゴルフクラブのようにウェイト材料をグリップ内に形成された区画内に収容する構造とした場合、この区画の開口部分を閉塞するために設けられたキャップが外れると、前記開口部分から球状のウェイト材料が飛び散り、ケガやウェイト材料の紛失の原因となってしまう可能性があった。
【００１０】
加えて更に、上記特許文献２に開示されているゴルフクラブでは、ウェイト材料である球状の錘の充填具合によって重心位置が微妙に変化する可能性があり、使用者がスイングを繰り返す等するうちに、グリップに設けられた区画内においてウェイト材料が移動したり偏在したりし、重心位置が変化してしまう可能性がある。即ち、特許文献２に開示されているゴルフクラブにも、上記特許文献１の場合と同様に固定という観点からの問題があった。
【００１１】
したがって、従来技術のゴルフクラブは、重心位置を安定させることが困難であり、使用感が良くないという問題があった。  なお、上記特許文献３においては、グリップ側の先端にウェイトを具体的にどのように装着するかについては、何ら開示されていない。
【００１２】
そこで、上記した課題を解決すべく、本発明は、スイングウェイト調整用の錘の脱落を確実に防止して、確実にシャフト側に重心を偏らせて重心位置を安定させることが可能であり、かつ、錘の着脱及び交換を容易に行うことができるウェイト付グリップ構造体の提供を目的とする。
【課題を解決するための手段】
【００１３】
上述した課題を解決すべく、本発明は、
グリップ部と、
前記グリップ部の先端に着脱固定可能に取り付けられる、スイングウェイト調整用の錘を備えたウェイト部と、
を有し、
前記ウェイト部の重心が、前記グリップ部の略軸心上に位置すること、
を特徴とするウェイト付グリップ構造体を提供する。
【００１４】
このような構成によれば、スイングウェイト調整用の錘の脱落を確実に防止して、確実にシャフト側に重心を偏らせて重心位置を安定させることが可能であり、かつ、錘の着脱及び交換を容易に行うことができるウェイト付グリップ構造体を実現することができる。特に、ウェイト部の重心がグリップ部の軸心上に存在するため、適切なバランス点に重心が位置するように、容易にスイングウェイトの調整を行うことができる。また、重心位置を安定させることができ、使用感に優れたウェイト付グリップ構造体を提供することができる。
【００１５】
上記本発明のウェイト付グリップ構造体は、
前記グリップ部又はウェイト部のうち一方側に、ネジ軸が設けられており、前記グリップ部又はウェイト部のうち他方側に、雌ネジ部が設けられた構成を有するのが好ましい（第一実施形態）。
【００１６】
このような構成を有する本発明のウェイト付グリップ構造体は、前記ネジ軸にバネ座金が装着されており、前記ネジ軸を雄ネジ部と螺合させることにより、前記バネ座金を介在させた状態でグリップ部とウェイト部とを一体化することが可能とされている。
【００１７】
また、上記本発明のウェイト付グリップ構造体は、
前記グリップ部及びウェイト部のいずれか一方又は双方の端面に、凸状連結部が設けられており、前記グリップ部及びウェイト部のいずれか一方又は双方の端面に、前記凸状連結部を嵌合させることにより連結構造を形成可能な凹状連結部が設けられた構成を有するのが好ましい（第二実施形態）。
【００１８】
このような構成を有する本発明のウェイト付グリップ構造体は、前記凸状連結部及び凹状連結部の組み合わせからなる連結構造を複数箇所で形成することにより前記グリップ部とウェイト部とを一体化することが可能とされている。
【００１９】
また、上記本発明のウェイト付グリップ構造体は、
前記グリップ部が、筒状のグリップ本体と、ウェイト接続部とを有するものであり、
前記ウェイト接続部が、前記グリップ部の端部に設けられており、差込口を備え、弾性変形可能なものであり、
前記ウェイト部が、前記差込口に差し込み可能な軸状の差込部を備え、前記差込部と前記錘とが着脱可能又は着脱不能に一体化されたものであり、
前記差込部が、外径が前記差込口の開口径以上の大きさまで漸次拡大した拡径部と、前記拡径部に対して錘側に位置し前記差込口と係合可能な係合部とを有し、前記拡径部と前記係合部との間に段差が形成されたものであり、
前記差込部を前記差込口に差し込み、前記係合部と前記差込口とを係合させることにより、前記グリップ部と前記ウェイト部とを一体化することが可能であること、
を特徴とするものであることが好ましい（第三実施形態）。
【００２０】
また、上記本発明のウェイト付グリップ構造体は、
前記グリップ本体が弾性変形可能なものであり、
前記ウェイト接続部が、前記グリップ本体よりも硬質であること、を特徴とするものであることが望ましい。
【００２１】
また、本発明は、上記本発明のウェイト付グリップ構造体を具備するゴルフクラブを提供する。
【発明の効果】
【００２２】
本発明のウェイト付グリップ構造体によれば、スイングウェイト調整用の錘の脱落を確実に防止して、確実にシャフト側に重心を偏らせて重心位置を安定させることが可能であり、かつ、錘の着脱及び交換を容易に行うことができる。特に、ウェイト部の重心がグリップ部の軸心上に存在するため、適切なバランス点に重心が位置するように、容易にスイングウェイトの調整を行うことができる。また、重心位置を安定させることができ、特にスイング時の使用感に優れたゴルフクラブ等を提供することができる。
【００２３】
本発明のウェイト付グリップ構造体の第一実施形態では、前記グリップ部又はウェイト部のうち一方側に設けられたネジ軸にバネ座金を装着し、このネジ軸を他方側に設けられたネジ部と螺合させることによりグリップ部とウェイト部とを一体化することができる。このようにしてグリップ部とウェイト部とを一体化すると、両者の間にバネ座金が介在した状態になるため、長期に亘って使用を継続してもウェイト部の固定強度が低下しない。よって、本発明の第一実施形態では、長期にわたって使用しても、ウェイト部がゆるんでグリップ部から脱落する等の不都合が生じにくい。
【００２４】
また、上述したように、本発明の第一実施形態では、グリップ部とウェイト部との間にバネ座金を介在させた状態とし、ネジ軸を雌ネジ部に螺合させるだけでウェイト部をグリップ部に対して固定できる。したがって、本発明の第一実施形態では、ウェイト部の着脱や交換、スイングウェイトの調整を容易に行うことができる。更に、本発明のゴルフクラブは、ウェイト部がグリップ部に対して装着されるため、重心を容易かつ確実にグリップ側に偏らせることができる。
【００２５】
また、本発明のウェイト付グリップ構造体の第二実施形態では、前記グリップ部及びウェイト部のいずれか一方又は双方の端面に設けられた凸状連結部と凹状連結部とを嵌合させてなる連結構造を複数箇所で形成可能であるため、ウェイト部がグリップ部に対して回転し、外れてしまうのを確実に防止することができる。また、本発明の第二実施形態では、グリップ部の端面にウェイト部を取り付けるものであるため、重心位置をクラブヘッド側よりもグリップ側に偏心させることができる。したがって、本発明の第二実施形態では、ウェイト部の重量を調整することにより、使用者のスイングなどを考慮した上で適切なバランス点に重心が位置するように、容易に調整することが可能となる。
【００２６】
更に、本発明の第二実施形態では、凸状連結部を凹状連結部に差し込めば連結構造を形成できるものであり、グリップ部に対してウェイト部を容易に着脱することが可能である。
【００２７】
本発明のウェイト付グリップ構造体の第三実施形態では、グリップ本体側に設けられたウェイト接続部が弾性変形可能なものであるため、差込口に対して差込部を差し込んだ状態において更にウェイト部に対して差込部の軸方向に押圧力を作用させると、差込口が拡径部によって押し広げられつつ、差込部が徐々に挿入されていく。また、段差を越えて係合部が差込口に到達するまでウェイト部を押し込むと、ウェイト接続部の弾性力により差込口の開口径が元に戻り、係合部が差込口にしっかりと係合した状態になる。したがって、本発明の第三実施形態では、差込口に差込部を差し込んだ状態においてウェイト部を軸方向に押し込むだけでウェイト部をしっかりと固定することができる。また、本発明の第三実施形態では、グリップ本体の端部にウェイト部を取り付けるため、上記した本発明のグリップ構造体と同様に、グリップ部の軸心上の所望の位置に重心位置が到来するよう容易に調整することができる。
【００２８】
また、本発明のウェイト付グリップ構造体は、前記ウェイト接続部を前記グリップ本体よりも硬質とすることにより、ウェイト部をより一層強固に固定することが可能となる。
【００２９】
本発明のゴルフクラブは、上記した本発明のウェイト付グリップ構造体を具備したものであるため、スイングウェイト調整用の錘の脱落を確実に防止することができ、重心位置の調整や、錘の着脱及び交換を容易に行うことができる。
【図面の簡単な説明】
【００３０】
【図１】本発明の第一実施形態に係るゴルフクラブを示す断面図である。
【図２】図１に示すゴルフクラブのグリップ部及びウェイト部を示す分解斜視図である。
【図３】図１に示すゴルフクラブの変形例を示す要部拡大断面図である。
【図４】本発明の第二実施形態に係るゴルフクラブを示す断面図である。
【図５】図４に示すゴルフクラブのグリップ部及びウェイト部を示す分解断面図である。
【図６】（ａ）、（ｂ）は、それぞれ図４に示すゴルフクラブのグリップ部及びウェイト部の変形例を示す分解断面図である。
【図７】本発明の第三実施形態に係るゴルフクラブを示す正面図である。
【図８】図７に示すゴルフクラブの断面図であり、（ａ）はウェイト部の取り付け前の状態を示し、（ｂ）はウェイト部の取り付け後の状態を示す。
【図９】図７に示すゴルフクラブにおいてウェイト部の取り付け前の状態を示す要部拡大斜視図である。
【図１０】ウェイト部を示す断面図である。
【図１１】（ａ）〜（ｄ）は、それぞれ図７等に示すゴルフクラブの変形例に係るグリップ部及びウェイト部の分解状態を示す断面図である。
【図１２】ウェイト接続部８８のうちの差込口９０を有する円盤状部分８８ａの別の態様を示す概略斜視図である。
【発明を実施するための形態】
【００３１】
続いて、本発明のウェイト付グリップ構造体の好ましい実施形態として、本発明のウェイト付グリップ構造体を具備するゴルフクラブの実施形態（第一実施形態及び第二実施形態）を、図面を参照しながら詳細に説明する。
【００３２】
≪第一実施形態≫
本発明の第一実施形態に係るゴルフクラブ１０について、図面を参照しつつ説明する。図１に示すように、ゴルフクラブ１０は、シャフト１２の先端側にクラブヘッド１４を取り付けるとともに、末端側に設けられたグリップ部１６にウェイト部１８を取り付けたものである。シャフト１２は、従来公知のものと同様に中空の軸体によって構成されており、クラブヘッド１４は、従来公知のものと同様のものによって構成されている。
【００３３】
図１や図２に示すように、グリップ部１６は、使用者が把持する略円柱状の部分である。グリップ部１６の端面２０の略中央部には、軸方向に貫通した雌ネジ部２２が設けられている。雌ネジ部２２は、シャフト１２の中空部分と連通しており、ウェイト部１８は、ゴルフクラブ１０のスイングウェイトの調整用の錘２４とネジ軸２６とを一体化したものである。錘２４は、グリップ１６と略同一径の円柱状の部材であり、ネジ軸２６は、錘２４に対して固定されており、錘２４の端面２８側から略垂直に突出している。
【００３４】
図１や図２に示すように、ウェイト部１８は、ネジ軸２６に対してバネ座金３０を装着するとともに、ネジ軸２６をグリップ部１６側に設けられた雌ネジ部２２に螺合させることにより、グリップ部１６と一体化されている。
【００３５】
これにより、グリップ部１６の端面２０と、ウェイト部１８の端面２８との間にバネ座金３０が挟まれた状態になり、グリップ部１６がゆるみを生じることなく、ウェイト部１８に対してしっかりと固定された状態となる。したがって、ゴルフクラブ１０は、長期にわたって使用しても、雌ネジ部２２とネジ軸２６とによって形成された連結構造部分における連結強度が低下せず、ウェイト部１８がグリップ部１６から脱落しない。また、ウェイト部１８が脱落しないため、ウェイト部１８の紛失や、ウェイト部１８の飛散により使用者などがケガをするといった二次的な被害も生じない。
【００３６】
ゴルフクラブ１０は、バネ座金３０を装着した状態でネジ軸２６と雌ネジ部２２とを螺合させるだけでグリップ部１６に対してウェイト部１８を装着することができる。したがって、ゴルフクラブ１０は、ウェイト部１８の着脱、交換や、スイングウェイトの調整を容易に行うことができる。
【００３７】
また、ゴルフクラブ１０は、ウェイト部１８がシャフト１２の末端側に位置するグリップ部１６に対して装着されるため、重心を容易かつ確実にグリップ側に偏らせることが可能である。したがって、ゴルフクラブ１０によれば、打球をより高く打ち上げたいという要望に容易かつ確実に応えることができる。
【００３８】
また、ゴルフクラブ１０は、ウェイト部１８及びグリップ部５２の軸心位置が略同一であり、ウェイト部１８の重心がグリップ部５２の軸心を通る位置に存在しているため、適切なバランス点に重心が位置するように、容易にスイングウェイトの調整を行うことができる。また、ウェイト部１８が前述したような位置においてしっかりと固定されているため、ゴルフクラブ１０は重心位置が常に安定しており、使用感に優れている。
【００３９】
なお、本実施形態では、雌ネジ部２２と螺合したネジ軸２６の先端部分を逃がすことを考慮し、ウェイト部１８側にネジ軸２６を設け、グリップ部１６側に雌ネジ部２２を設け、シャフト１２の内側に形成された中空部分と雌ネジ部２２とを連通させた構成を例示したが、本発明はこれに限定されるものではない。
【００４０】
例えば、上述した実施形態とは逆に、図３に示すように、ウェイト部１８側に雌ネジ部２２を設け、グリップ部１６側にネジ軸２６を設けた構成としてもよい。なお、かかる構成とする場合は、図３に示すように、ウェイト部１８側にネジ軸２６を逃がすことが可能な凹部３２等を設けることが望ましい。
【００４１】
≪第二実施形態≫
続いて、本発明の第二実施形態に係るゴルフクラブ５０について、図面を参照しつつ詳細に説明する。なお、上述したゴルフクラブ１０と共通する部分については同一の符号を付し、詳細の説明については省略する。
【００４２】
図４に示すように、ゴルフクラブ５０は、上述したゴルフクラブ１０と略同一の構成を有しているが、グリップ部５２やウェイト部５４の構成が相違している。更に具体的には、図４や図５に示すように、グリップ部５２の端面５６には、孔５８（凹状連結部）が２つ設けられている。孔５８は、グリップ部５２の端面５６とシャフト１２の端部との間に形成された空間６０に連通している。
【００４３】
ウェイト部５４は、ゴルフクラブ１０のスイングウェイトの調整用の錘６０として機能する略円柱状の部分と連結軸６２（凸状連結部）とが一体化されたものである。連結軸６２は、ウェイト部５４の端面６４から略垂直に突出しており、先端に折り返し形状の係合部６８が設けられている。
【００４４】
係合部６８は、略円錐状の形状をしており、孔５８からグリップ部５２内に形成された空間６０内に侵入することにより孔５８に引っかかり、連結軸６２が孔５８から抜け落ちるのを防止する機能を有する。連結軸６２は端面６４において２箇所に設けられている。
【００４５】
連結軸６２は、上述したグリップ部５２側の孔５８と対応する位置関係にある。係合部６８が空間６０側に突出した状態になるまで連結軸６２を孔５８に差し込まれると、孔５８と連結軸６２とによって連結構造６６が形成され、ウェイト部５４とグリップ部５２とが一体化された状態になる。
【００４６】
上述したように、ゴルフクラブ５０は、グリップ部５２側に設けられた孔５８に、ウェイト部５４側に設けられた連結軸６４を差し込んで嵌合させ、連結させることにより、孔５８と連結軸６４との組み合わせによる連結構造６６が複数箇所（本実施形態では２箇所）に形成される。したがって、ゴルフクラブ５０は、スイングの際に慣性力が作用するなどしても、ウェイト部５４がグリップ部５２に対して相対回転したり、ウェイト部５４がグリップ部５２から外れてしまうといったような不具合が起こらない。
【００４７】
また、上述したゴルフクラブ５０は、グリップ部５２の端面５６にウェイト部５４を取り付けるものであり、重心位置をクラブヘッド１４側よりもグリップ部５２側に偏心させることができる。したがって、ゴルフクラブ５０は、ウェイト部５４の重量調整を行うことにより、使用者のスイングなどを考慮した上で適切なバランス点に重心が位置するように、容易に調整することが可能となる。
【００４８】
上述したように、ゴルフクラブ５０は、複数設けられた連結軸６２を、それぞれグリップ部５２側において対応する位置に設けられた孔５８に差し込み、嵌合させるだけで連結構造６６を形成することができる。また、ゴルフクラブ５０は、ウェイト部５４をグリップ部５２側から離れる方向に引っ張れば、容易にウェイト部５４を取り外し、交換等することが可能である。したがって、ゴルフクラブ５０は、スイングウェイトを容易に調整することができる。
【００４９】
ゴルフクラブ５０は、グリップ部５２及びウェイト部５４の軸心位置が略共通しており、ウェイト部５４の重心がグリップ部５２の軸心を通る位置に存在している。そのため、ゴルフクラブ５０は、ウェイト部５４を取り付けた場合であっても、適切なバランス点に重心が位置するように、容易にスイングウェイトの調整を行うことができる。また、上述した連結構造６６により、ウェイト部５４がグリップ部５２に対してしっかりと固定されており、ウェイト部５４が回転等しない。そのため、ゴルフクラブ１０は、重心位置が常に安定しており、使用感に優れている。
【００５０】
本実施形態では、孔５８をグリップ部５２側に設け、連結軸６２をウェイト部５４側に設けた構成を例示したが、本発明はこれに限定されるものではなく、複数箇所において連結構造６６を形成可能であれば孔５８及び連結軸６２の配置はいかなるものであってもよい。
【００５１】
具体的には、例えば図６（ａ）に示すように、孔５８をウェイト部５４側に設け、連結軸６２をグリップ部５２側に設けた構成としてもよい。また、図６（ｂ）に示すように、孔５８及び連結軸６２をそれぞれグリップ部５２側及びウェイト部５４側の双方に、互いに嵌合可能な位置関係となるように設けた構成としてもよい。かかる構成とした場合についても、上述したゴルフクラブ５０と同様にウェイト部５４を着脱可能としつつ、しっかり固定することができる。
【００５２】
また、本実施形態では、孔５８及び連結軸６２を２つずつ設け、２箇所において連結構造６６を形成する構成を例示したが、本発明はこれに限定されるものではなく、更に多数の箇所において連結構造６６を形成可能なものとしてもよい。また、上述した孔５８及び連結軸６２の形状等については、凹状連結部及び凸状連結部の一例を示したものに過ぎず、互いに嵌合し、連結構造を形成可能なものであれば他の形状等であってもよい。
【００５３】
≪第三実施形態≫
続いて、本発明の第三実施形態に係るゴルフクラブ８０について、図面を参照しつつ詳細に説明する。なお、上述したゴルフクラブ１０、５０と共通する部分については同一の符号を付し、詳細の説明については省略する。
【００５４】
図７に示すように、ゴルフクラブ８０は、上述したゴルフクラブ１０、５０と略同一の構成を有しているが、グリップ部８２やウェイト部８４の構成が相違している。具体的には、図７や図８に示すように、グリップ部８２は、グリップ本体８６と、ウェイト接続部８８とを有する。グリップ本体８６は、使用者により把持される中空で筒状の部分であり、一端側に設けられた開口部分からシャフト１２が挿通されている。グリップ本体８６は、天然ゴムや合成ゴム等のゴム類のようにゴム状弾性を有する高分子素材（エラストマー）によって形成されており、少なくとも径方向への弾性を有する。
【００５５】
図８及び図９に示すように、ウェイト接続部８８は、径方向略中央に差込口９０を有する円盤状（乃至は環状）の形状を有し、グリップ本体８６の末端部分を閉塞している。ウェイト接続部８８のうちの差込口９０を有する円盤状部分８８ａは、上述したグリップ本体８６と同様にゴム状弾性を有する高分子素材（エラストマー）によって形成されており、グリップ本体８６よりも硬質とされている。そのため、円盤状部分８８ａは、グリップ本体８６よりも変形しにくく、差し込まれたウェイト部８４が堅固に保持される。グリップ本体８６は、円盤状部分８８ａを予め形成しておき、円盤状部分８８ａを金型に挿入（インサート）し、これに射出成形によりグリップ部８２を一体成形することにより形成される。差込口９０は、略円形の開口形状を有する孔によって構成されており、後に詳述するウェイト部８４の差込部９４が差し込まれる部分である。もちろん、別部材としての円盤状部分８８ａを用いず、同一の材料でグリップ部８２とウェイト接続部８８とを含むグリップ本体８６を一体的に成形してもよい。
【００５６】
図８〜図１０に示すように、ウェイト部８４は、錘部９２と、差込部９４とを有する。錘部９２は、ゴルフクラブ８０のスイングウェイト調整用の錘として機能する部分である。ウェイト部８４は、上述したゴルフクラブ１０、５０のウェイト部１８、５４と同様に略円柱形など適宜の形状とすることが可能である。本実施形態では、錘部９２は、グリップ部８２のウェイト接続部８８の外径と略同一径のディスク状のものであり、表面９２ａが軸心位置に向かってなだらかに盛り上がるように湾曲し、裏面９２ｂが平坦な形状とされている。
【００５７】
差込部９４は、錘部９２の裏面９２ｂの略中心において、裏面９２ｂに対して略垂直に立設された軸状の部分である。図１０に示すように、差込部９４は、先端側から先端部９４ａ、拡径部９４ｂ、係合部９４ｃの３つの部分に大別される。先端部９４ａは、上述した差込口９０の開口径と同等、あるいはそれ以下の外径を有する軸状の部分である。そのため、差込部９４は、ウェイト接続部８８に設けられた差込口９０に対して先端部９４ａをスムーズに出し入れすることができる。
【００５８】
拡径部９４ｂは、先端部９４ａと係合部９４ｃとの間に位置しており、先端部９４ａ側から係合部９４ｃ側に向かうに連れて外径が拡大するように形成されたテーパー状の部分を有する。拡径部９４ｂの外径は、差込部９４の軸方向中間部分を境として係合部９４ｃ側の部分がウェイト接続部８８に設けられた差込口９０の開口径よりも大きくなっている。そのため、先端部９４ａを差込口９０に差し込んだ状態において、ウェイト部８４を更に軸方向に押し込むとウェイト接続部８８が弾性変形し、拡径部９４ｂによって差込口９０が押し広げられる。
【００５９】
係合部９４ｃは、差込部９４の基端部、即ち拡径部９４ｂと錘部９２の裏面９２ｂとの間に位置し、上述したウェイト接続部８８に設けられている差込口９０に係合する部分である。係合部９４ｃの外径は、上述した差込口９０の開口径と略同一あるいはそれ以上とされている。そのため、差込部９４は、拡径部９４ｂと係合部９４ｃとの境界部分を境として外径が大幅に変化しており、両者の間に段差９４ｄが形成されている。また、係合部９４ｃの軸方向の長さは、上述したウェイト接続部８８の肉厚と略同一とされている。そのため、差込部９４を差込口９０に押し込み、係合部９４ｃを差込口９０と係合させると、ウェイト接続部８８に段差９４ｄが引っかかり、錘部９２の裏面９２ｂとウェイト接続部８８とが略密着した状態になる。更に、係合部９４ｃが差込口９０に至るまで差込部９４を押し込むと、拡径部９４ｂが差込口９０を通過している際に作用していた摩擦力が解除されて係合するため、係合の際に適度な節度感が得られ、ウェイト部８４をしっかりと固定できたという感覚を使用者に与えることができる。また、本実施形態では、ウェイト接続部８８がグリップ部８２よりも硬質の材質によって形成されているため、ウェイト部８４を接続した際の接続強度が高い。
【００６０】
また、本実施形態のゴルフクラブ８０は、グリップ本体８６がウェイト接続部８８よりも軟質であるため、錘部９２の裏面９２ｂとウェイト接続部８８との間に爪などを挿入することにより容易に隙間を広げることができる。したがって、本実施形態のゴルフクラブ８０は、ウェイト部８４の取り付けだけでなく、交換などのためにウェイト部８４を取り外す作業も容易に実施することができる。
【００６１】
本実施形態では、ウェイト部８４の中央に差込部９４を設け、ウェイト接続部８８の中央に差込口９０を設けた構成を例示したが、本発明はこれに限定される訳ではなく、ウェイト部８４やウェイト接続部８８の中央をはずれた位置に差込部９４や差込口９０を設けた構成としてもよい。また、上記実施形態では、差込部９４や差込口９０をそれぞれ一つずつ設けた構成を例示したが、例えば図１１（ａ）に示すように差込部９４や差込口９０に相当するものを複数設けた構成としてもよい。かかる構成とすることにより、グリップ部８２とウェイト部８４との接続強度をより一層向上させることが可能であり、ウェイト部８４を錘部９２の重量の大きなものとした場合であってもウェイト部８４が回転したり外れたりするのを防止することができる。なお、図１１においては円盤状部分８８ａを省略している。
【００６２】
本実施形態のゴルフクラブ８０は、差込部９４の先端部９４ａを差込口９０に差し込むことによりグリップ部８２とウェイト部８４との位置合わせを行うことができ、差込部９４の差し込み時に位置ずれを起こすのを防止できる。なお、上記した差込部９４の構成は本発明の一例を示したものに過ぎず、例えば図１１（ｂ）に示すように先端部９４ａを備えていないものとしてもよい。
【００６３】
本実施形態のゴルフクラブ８０は、ウェイト接続部８８をゴムなどのエラストマーによって形成したものであり、ウェイト部８４を装着することにより錘部９２の裏面９２ｂとウェイト接続部８８とが略密着した状態になるものであるため、錘部９２に大きな摩擦力が作用する。そのため、本実施形態のゴルフクラブ８０は、スイングなどに伴って錘部９２が回転したり、外れたりしてしまう等の不具合が起こらない。なお、ウェイト部８４やウェイト接続部８８の構成は、上述したものに限定される訳ではなく、例えば図１１（ｃ）、（ｄ）に示すように、ウェイト接続部８８や錘部９２の裏面９２ｂの一方に突起９６ａを設け、他方の対応する位置に突起９６ａが嵌り込む凹部９６ｂを設けた構成とすることも可能である。かかる構成とすることにより、ウェイト部９４ｂを装着することにより突起９６ａが凹部９６ｂに嵌り込み、スイング時にウェイト部９４ｂが回転したり、外れたりしてしまう等の不具合をより一層抑制することが可能である。
【００６４】
本実施形態で例示したウェイト部８４は、差込部９４の軸方向先端側から基端側（錘側）に向かうに連れて拡径部９４ｂの外径が連続的に拡大したものであったが、本発明はこれに限定されるものではなく漸次拡大するものであればいかなるものであってもよく、例えば拡径部９４ｂの外径が段階的に拡大するものであってもよい。
【００６５】
本実施形態では、ウェイト部８４の固定強度を高めるため、グリップ部８２のウェイト接続部８８をグリップ本体８６よりも硬質のものによって構成した例を例示したが、本発明はこれに限定される訳ではなく、同一の硬度を有するものであってもよい。また、本実施形態では、射出成形によりグリップ本体８６を作成し、予め準備されたウェイト接続部８８と一体化することによりグリップ部８２を作成する方法を例示したが、本発明はこれに限定されるものではなく、他の方法によりグリップ部８２を作成してもよい。
【００６６】
以上、本発明の代表的な実施形態について説明したが、それぞれ本発明の技術的思想の範囲内で種々の設計変更が可能である。例えば、上記実施形態においては、ウェイト部１８、５４、８４が錘部を兼ねる態様（即ち、着脱不能に一体化されている態様）となっているが、例えば、錘部を別部材としてウェイト部に着脱可能に一体化させてもよい。このような態様によれば、さらに、ウェイト部の重さを適宜コントロールすることも可能である。
【００６７】
また、ウェイト接続部８８のうちの差込口９０を有する円盤状部分８８ａには、図１２に示すように、例えば星型形状部分８８ｂを採用してもよい。このような星型形状部を有する円盤状部分を（例えば１万個に１個の割合で）採用すれば、ユーザーが幸運を感じてゴルフのプレーに精神的に好影響を与えたりすることが期待でき好ましい。
【産業上の利用可能性】
【００６８】
本発明のウェイト付グリップ構造体は、ゴルフクラブやテニスラケット等、グリップを有する全ての物品に適用可能であり、本発明のウェイト付グリップ構造体を具備する物品では、ウェイト部の重心がグリップ部の軸心上に存在するため、適切なバランス点に重心が位置するように、容易にスイングウェイトの調整を行うことができ、重心位置を安定させることができることから、特にスイング時の使用感に優れた物品が得られる。
【符号の説明】
【００６９】
１０、５０、８０    ゴルフクラブ
１６、５２、８２    グリップ部
１８、５４、８４    ウェイト部
２２                雌ネジ部
２６                ネジ軸
３０                バネ座金
５６、６４          端面
５８                孔（凹状連結部）
６２                連結軸（凸状連結部）
６６                連結構造
８６                グリップ本体
８８                ウェイト接続部
９０                差込口
９２                錘部
９４                差込部
【図１】
2011104270.tif 000003
【図２】
2011104270.tif 000004
【図３】
2011104270.tif 000005
【図４】
2011104270.tif 000006
【図５】
2011104270.tif 000007
【図６】
2011104270.tif 000008
【図７】
2011104270.tif 000009
【図８】
2011104270.tif 000010
【図９】
2011104270.tif 000011
【図１０】
2011104270.tif 000012
【図１１】
2011104270.tif 000013
【図１２】
2011104270.tif 000014
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の先端に着脱固定可能に取り付けられる、スイングウェイト調整用の錘を備えたウェイト部と、
を有し、
前記ウェイト部の重心が、前記グリップ部の略軸心上に位置し、
前記グリップ部が、筒状のグリップ本体と、ウェイト接続部とを有するものであり、
前記ウェイト接続部が、前記グリップ部の端部に設けられており、差込口を備え、弾性変形可能なものであり、
前記ウェイト部が、前記差込口に差し込み可能な軸状の差込部を備え、前記差込部と前記錘とが着脱可能又は着脱不能に一体化されたものであり、
前記差込部が、外径が前記差込口の開口径以上の大きさまで漸次拡大した拡径部と、前記拡径部に対して錘側に位置し前記差込口と係合可能な係合部とを有し、前記拡径部と前記係合部との間に段差が形成されたものであり、
前記差込部を前記差込口に差し込み、前記係合部と前記差込口とを係合させることにより、前記グリップ部と前記ウェイト部とを一体化することが可能であること、
を特徴とするウェイト付グリップ構造体。
【請求項２】
前記グリップ本体が弾性変形可能なものであり、
前記ウェイト接続部が、前記グリップ本体よりも硬質であること、
を特徴とする請求項１に記載のウェイト付グリップ構造体。
【請求項３】
請求項１又は２に記載のウェイト付グリップ構造体を具備するゴルフクラブ。
【手続補正２】
【補正対象書類名】明細書
【補正対象項目名】００１４
【補正方法】変更
【補正の内容】
【００１４】
このような構成によれば、スイングウェイト調整用の錘の脱落を確実に防止して、確実にシャフト側に重心を偏らせて重心位置を安定させることが可能であり、かつ、錘の着脱及び交換を容易に行うことができるウェイト付グリップ構造体を実現することができる。特に、ウェイト部の重心がグリップ部の軸心上に存在するため、適切なバランス点に重心が位置するように、容易にスイングウェイトの調整を行うことができる。また、重心位置を安定させることができ、使用感に優れたウェイト付グリップ構造体を提供することができる。
以下においては、第一実施形態〜第三実施形態について説明するが、本発明は、なかでも特に第三実施形態に関するものである（ただし、第三実施形態において第一実施形態又は第二実施形態と同じ部分については同一の符号を付し、詳細の説明については省略している。）。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の先端に着脱固定可能に取り付けられる、スイングウェイト調整用の錘を備えたウェイト部と、
を有し、
前記ウェイト部の重心が、前記グリップ部の略軸心上に位置し、
前記グリップ部が、弾性変形可能な筒状のグリップ本体と、前記グリップ本体に一体成形され、前記グリップ本体よりも硬質で弾性変形可能なウェイト接続部と、を有し、
前記ウェイト接続部が、前記グリップ本体の末端部分を閉塞するように設けられた円盤状部分と、前記円盤状部分の径方向略中央に形成された差込口と、を有し、
前記ウェイト部が、前記差込口に差し込み可能な軸状の差込部を備え、前記差込部と前記錘とが着脱可能又は着脱不能に一体化されたものであり、
前記差込部が、外径が前記差込口の開口径以上の大きさまで漸次拡大した拡径部と、前記差込口と係合可能な係合部と、前記拡径部と前記係合部との間に形成され、前記差込部の軸方向に対して略垂直な段差と、を有し、
前記差込部を前記差込口に差し込み、前記ウェイト接続部を前記段差に引っかけかつ前記係合部と前記差込口とを係合させることにより、前記ウェイト部を前記ウェイト接続部に略密着させた状態で前記グリップ部と前記ウェイト部とを一体化することが可能であること、
を特徴とするウェイト付グリップ構造体。
【請求項２】
請求項１に記載のウェイト付グリップ構造体を具備するゴルフクラブ。